(57)【要約】【課題】出力音声特性の急峻な変化を抑制するオーディオ放送受信装置及び出力音声特性制御方法を提供する。【解決手段】受信電界強度ＳＭのレベルが、近い将来にアナログオーディオ放送への切替を行うレベル（Ｔｈｂ以下のレベル）に変化することが想定されない程度に大きいレベル（Ｔｈａを超えるレベル）から、アナログオーディオ放送への切替を行うレベル（Ｔｈｂ以下のレベル）に変化する場合、ＳＭがＴｈａ以下となった時点で、近い将来の切り替えの発生を予測し、可変帯域フィルタ８の高周波数側カットオフ周波数ｆｃｈを、ＳＭがＴｈｂとなった時点で可変帯域フィルタ８の高周波数側カットオフ周波数ｆｃｈがアナログオーディオ放送の音声帯域の上限１５ｋＨｚとなるように、デジタルオーディオ放送の音声帯域の上限２０ｋＨｚから、ＳＭの減少に伴い漸次的に変化させる（ａ）。【選択図】図３
2004289781.tif 000002
【特許請求の範囲】
【請求項１】
オーディオ放送受信装置であって、
デジタルオーディオ放送とアナログオーディオ放送を並行して受信するチューナと、
前記デジタルオーディオ放送で受信したオーディオ信号を出力するオーディオ出力手段と、
前記デジタルオーディオ放送の受信状態を監視する監視手段と、
前記監視手段が監視しているデジタルオーディオ放送の受信状態が予め定めたレベルである切替レベルより劣化した場合に、一時的に、前記オーディオ出力手段が出力するオーディオ信号を、前記デジタルオーディオ放送で受信したオーディオ信号から、前記アナログオーディオ放送で受信したオーディオ信号に切り替える放送切替手段と、
前記監視手段が監視しているデジタルオーディオ放送の受信状態に応じて、前記放送切替手段によるオーディオ出力手段が出力するオーディオ信号の前記アナログオーディオ放送で受信したオーディオ信号への切り替えの近い将来の発生を予測し、前記オーディオ出力手段が出力するオーディオ信号の音響特性を、前記デジタルオーディオ放送で受信するオーディオ信号用に定めた第１の特性値から、前記アナログオーディオ放送で受信するオーディオ信号用に定めた第２の特性値に、漸次的に変化させる出力音声特性制御手段とを有することを特徴とするオーディオ放送受信装置。
【請求項２】
請求項１記載のオーディオ放送受信装置であって、
前記出力音声特性制御手段は、前記監視手段が監視しているデジタルオーディオ放送の受信状態が前記切替レベルより受信状態が良好なレベルである第１のレベルと前記切替レベルの間にあるときに、前記受信状態が前記切替レベルとなったときに前記オーディオ出力手段が出力するオーディオ信号の音響特性が前記第２の特性値となるように、前記受信状態の劣化の進行に追従して、前記オーディオ出力手段が出力するオーディオ信号の音響特性を前記第１の特性値から前記第２の特性値に漸次的に変化させることを特徴とするオーディオ放送受信装置。
【請求項３】
請求項１または２記載のオーディオ放送受信装置であって、
前記音響特性は、前記オーディオ出力手段が出力するオーディオ信号の音声帯域の特性であって、前記第１の特性値による音声帯域は前記第２の特性値による音声帯域よりも上限周波数が高いことを特徴とするオーディオ放送受信装置。
【請求項４】
請求項１または２記載のオーディオ放送受信装置であって、
前記音響特性は、前記オーディオ出力手段が出力するオーディオ信号のチャンネルセパレーション特性であって、前記第１の特性値は前記第２の特性値よりも、チャンネルセパレーションの度合いが高いことを特徴とするオーディオ放送受信装置。
【請求項５】
請求項１、２、３または４記載のオーディオ放送受信装置であって、
前記放送切替手段は、前記オーディオ出力手段が出力するオーディオ信号を、前記デジタルオーディオ放送で受信したオーディオ信号から、前記アナログオーディオ放送で受信したオーディオ信号に切り替えた後に、前記監視手段が監視しているデジタルオーディオ放送の受信状態が前記切替レベルと等しいか前記切替レベルより受信状態が良好な所定のレベルである復帰レベルに達した場合に、前記オーディオ出力手段が出力するオーディオ信号を、前記アナログオーディオ放送で受信したオーディオ信号から、前記デジタルオーディオ放送で受信したオーディオ信号に復帰させ、
前記出力音声特性制御手段は、前記放送切替手段が、前記オーディオ出力手段が出力するオーディオ信号を、前記デジタルオーディオ放送で受信したオーディオ信号に復帰させた後に、前記オーディオ出力手段が出力するオーディオ信号の前記音響特性を、前記第２の特性値から、前記第１の特性値に漸次的に復帰させることを特徴とするオーディオ放送受信装置。
【請求項６】
オーディオ放送受信装置であって、
デジタルオーディオ放送とアナログオーディオ放送を並行して受信するチューナと、
前記デジタルオーディオ放送で受信したオーディオ信号を出力するオーディオ出力手段と、
前記デジタルオーディオ放送の受信状態を監視する監視手段と、
前記監視手段が監視しているデジタルオーディオ放送の受信状態が予め定めたレベルである切替レベルより劣化した場合に、一時的に、前記オーディオ出力手段が出力するオーディオ信号を、前記デジタルオーディオ放送で受信したオーディオ信号から、前記アナログオーディオ放送で受信したオーディオ信号に切り替え、当該切り替え後に、前記監視手段が監視しているデジタルオーディオ放送の受信状態が前記切替レベルと等しいか前記切替レベルより受信状態が良好な所定のレベルである復帰レベルに達した場合に、前記オーディオ出力手段が出力するオーディオ信号を、前記アナログオーディオ放送で受信したオーディオ信号から、前記デジタルオーディオ放送で受信したオーディオ信号に復帰させる放送切替手段と、
前記放送切替手段が、前記オーディオ出力手段が出力するオーディオ信号を、前記デジタルオーディオ放送で受信したオーディオ信号に復帰させた後に、前記オーディオ出力手段が出力するオーディオ信号のチャンネルセパレーション特性を、前記アナログオーディオ放送用に定めたチャンネルセパレーション特性から、当該アナログオーディオ放送用に定めたセパレーション特性よりもチャンネルセパレーションの度合いが高い、前記デジタルオーディオ放送用に定めたチャンネルセパレーション特性に漸次的に変化させる出力音声特性制御手段とを有することを特徴とするオーディオ放送受信装置。
【請求項７】
請求項５または６記載のオーディオ放送受信装置であって、
前記復帰レベルは、前記切替レベルよりも受信状態が良好なレベルであることを特徴とするオーディオ放送受信装置。
【請求項８】
請求項１、２、３、４、５、６または７記載のオーディオ放送受信装置であって、
前記監視手段は、前記チューナの前記デジタルオーディオ放送の受信強度を、前記デジタルオーディオ放送の受信状態として監視することを特徴とするオーディオ放送受信装置。
【請求項９】
デジタルオーディオ放送とアナログオーディオ放送を並行して受信し、前記デジタルオーディオ放送の受信状態が予め定めたレベルである切替レベルより劣化していない場合に、前記デジタルオーディオ放送で受信したオーディオ信号を出力し、前記デジタルオーディオ放送の受信状態が前記切替レベルより劣化した場合に、前記アナログオーディオ放送で受信したオーディオ信号を出力する、オーディオ放送受信装置において、出力するオーディオ信号の音響特性を制御する出力音声特性制御方法であって、
前記デジタルオーディオ放送の受信状態に応じて、前記出力するオーディオ信号の、前記デジタルオーディオ放送で受信したオーディオ信号から前記アナログオーディオ放送で受信したオーディオ信号への切り替えの近い将来の発生を予測するステップと、
前記切り替えの近い将来の発生を予測した場合に、前記オーディオ出力手段が出力するオーディオ信号の音響特性を、前記デジタルオーディオ放送で受信するオーディオ信号用に定めた第１の特性値から、前記アナログオーディオ放送で受信するオーディオ信号用に定めた第２の特性値に漸次的に変化させるステップとを有することを特徴とするオーディオ放送受信装置における出力音声特性制御方法。
【請求項１０】
請求項９記載のオーディオ放送受信装置における出力音声特性制御方法であって、
前記出力するオーディオ信号の、前記アナログオーディオ放送で受信したオーディオ信号から前記デジタルオーディオ放送で受信したオーディオ信号への切り替えを検知するステップと、
前記切替を検知した場合に、前記出力するオーディオ信号の前記音響特性を、前記第２の特性値から、前記第１の特性値に漸次的に変化させるステップとを有することを特徴とするオーディオ放送受信装置における出力音声特性制御方法。
【発明の詳細な説明】
【技術分野】
【０００１】
本発明は、アナログオーディオ放送とデジタルオーディオ放送の双方を受信するオーディオ放送受信装置における、出力音声の聴覚上の品質の向上の技術に関するものである。
【背景技術】
【０００２】
デジタルオーディオ放送の一方式としてＩＢＯＣ（In Band on Channel）が知られている（たとえば、特表２００１-５２０４７９号公報）。ＩＢＯＣは、ＦＭやＡＭといった従来よりのアナログオーディオ放送の帯域を用いてデジタルオーディオ放送を行うものであり、放送局は、この方式を利用して、同じ放送プログラムをデジタルオーディオ放送とアナログオーディオ放送の双方を同時に並行して放送する、ハイブリッドモードと呼ばれるオーディオ放送を行うことができる。
【０００３】
さて、ＩＢＯＣにおけるデジタルオーディオ放送は、アナログオーディオ放送の帯域を用いて行わなければならない制限上、オーディオ放送受信機においてフェージングや電界強度不足による悪影響が比較的生じやすい。
そして、このような問題に対処する技術としては、オーディオ放送受信機において、受信電界強度が充分に強い場合にはデジタルオーディオ放送で受信したオーディオ信号を出力し、そうでない場合にはアナログオーディオ放送で受信したオーディオ信号を出力する技術が知られている。
【０００４】
また、ステレオアナログオーディオ放送を受信するオーディオ放送受信機に関する技術としては、受信電界強度が弱いときに右チャンネルと左チャンネルのセパレーション特性を劣化させることにより、ノイズを低減する技術も知られている（たとえば、特開平09-036766号公報）
この出願の発明に関連する先行技術文献情報としては以下のものがある。
【特許文献１】特表２００１-５２０４７９号公報
【特許文献２】特開平０９-０３６７６６号公報
【発明の開示】
【発明が解決しようとする課題】
【０００５】
前述のオーディオ放送受信装置において、受信電界強度に応じて、オーディオ信号を出力するオーディオ放送を、デジタルオーディオ放送とアナログオーディオ放送の間で自動的に切り替える技術によれば、切替時に、ユーザに聴覚上の不快感を与えてしまうという問題があった。
【０００６】
すなわち、デジタルオーディオ放送で放送されるオーディオ信号とアナログオーディオ放送で放送されるオーディオ信号とでは、両者が同じ対象（たとえば、同じ楽曲）を表すものであっても、両者の持つ音声帯域、周波数特性は相互に異なる。一般に、デジタルオーディオ放送で放送されるオーディオ信号の方が音声帯域が広く、デジタルオーディオ放送で放送されるオーディオ信号は、アナログオーディオ放送で放送されるオーディオ信号に比べ、より高域の音声成分を含む。そして、このために、デジタルオーディオ放送とアナログオーディオ放送との切替時に生じる、出力音声の高域の周波数特性の急激な変化が、ユーザに聴覚上の不快感を与えることになる。たとえば、デジタルオーディオ放送で放送されるオーディオ信号の音声帯域の上限が２０ｋＨｚでアナログオーディオ放送で放送されるオーディオ信号の音声帯域の上限が１５ｋＨｚであり、受信電界強度２５ｄＢμＶを境にデジタルオーディオ放送とアナログオーディオ放送との切替を行うものとすれば、デジタルオーディオ放送からアナログオーディオ放送に切り替えたときには、図１０aに示すように１５ｋＨｚから２０ｋＨｚのオーディオ成分が出力音声中から突然に失われることになる。
【０００７】
また、デジタルオーディオ放送とアナログオーディオ放送の切替は、通常はデジタルオーディオ放送をオーディオ信号を出力するオーディオ放送とし、受信電界強度が弱くデジタルオーディオ放送を正常に受信できないときに、アナログーディオ放送をオーディオ信号を出力するオーディオ放送とするように行われる。したがって、前記受信電界強度が弱いときに右チャンネルと左チャンネルのチャンネルセパレーション特性を劣化させる技術をアナログオーディオ放送の受信に適用すると、正常にデータを受信できる限りにおいて受信電界強度に依存せずに高いセパレーション特性が実現できるデジタルオーディオ放送と、アナログーディオ放送との切替時に、急激にセパレーション特性が変化し、このセパレーション特性の急激な変化が聴覚上の不快感を与えることになる。
【０００８】
たとえば、アナログオーディオ放送に対して与えるセパレーション特性と受信電界強度の関係が図１０bの１１０１に示すようなものであり、デジタルオーディオ放送のデータを正常に受信した場合のセパレーション特性と受信電界強度の関係が図１０bの１１０２に示すようなものであった場合に、受信電界強度が、受信電界強度２５ｄＢμＶを境にデジタルオーディオ放送とアナログオーディオ放送との切替を行うものとすれば、デジタルオーディオ放送からアナログオーディオ放送に切り替えたときには、図１０cに示すように、出力音声のセパレーション特性が急激に変化することになる。
【０００９】
そこで、本発明は、オーディオ信号を出力するオーディオ放送を、デジタルオーディオ放送とアナログオーディオ放送の間で自動的に切り替える際に、ユーザに聴覚上の不快感を与えないことを課題とする。
【課題を解決するための手段】
【００１０】
前記課題達成のために、デジタルオーディオ放送とアナログオーディオ放送を並行して受信するチューナと、前記デジタルオーディオ放送で受信したオーディオ信号を出力するオーディオ出力手段とを備えたオーディオ放送受信装置に、前記デジタルオーディオ放送の受信状態を監視する監視手段と、前記監視手段が監視しているデジタルオーディオ放送の受信状態が予め定めたレベルである切替レベルより劣化した場合に、一時的に、前記オーディオ出力手段が出力するオーディオ信号を、前記デジタルオーディオ放送で受信したオーディオ信号から、前記アナログオーディオ放送で受信したオーディオ信号に切り替える放送切替手段と、前記監視手段が監視しているデジタルオーディオ放送の受信状態に応じて、前記放送切替手段によるオーディオ出力手段が出力するオーディオ信号の前記アナログオーディオ放送で受信したオーディオ信号への切り替えの近い将来の発生を予測し、前記オーディオ出力手段が出力するオーディオ信号の音響特性を、前記デジタルオーディオ放送で受信するオーディオ信号用に定めた第１の特性値から、前記アナログオーディオ放送で受信するオーディオ信号用に定めた第２の特性値に、漸次的に変化させる出力音声特性制御手段とを設けたものである。
【００１１】
ここで、より具体的には、前記出力音声特性制御手段は、たとえば、前記監視手段が監視しているデジタルオーディオ放送の受信状態が前記切替レベルより受信状態が良好なレベルである第１のレベルと前記切替レベルの間にあるときに、前記受信状態が前記切替レベルとなったときに前記オーディオ出力手段が出力するオーディオ信号の音響特性が前記第２の特性値となるように、前記受信状態の劣化の進行に追従して、前記オーディオ出力手段が出力するオーディオ信号の音響特性を前記第１の特性値から前記第２の特性値に漸次的に変化させるのとして良い。
【００１２】
このようなオーディオ放送受信装置によれば、デジタルオーディオ放送の受信状態より、出力の対象とする放送のアナログオーディオ放送への近い将来の切り替えの発生を予測し、出力音声の音響特性を、デジタルオーディオ放送向けの特性からアナログオーディオ放送向けの特性に漸次的に変化させる。
【００１３】
したがって、実際にアナログオーディオ放送への切替を行うときには、出力音声の音響特性はアナログオーディオ放送の音響特性近くに変化しているので、アナログオーディオ放送への切替を行っても出力音声の音響特性の急峻な変化は生じない。
すなわち、たとえば、前記音響特性を、前記オーディオ出力手段が出力するオーディオ信号の音声帯域の特性とし、前記第１の特性値による音声帯域を前記第２の特性値による音声帯域よりも上限周波数が高いものとすれば、デジタルオーディオ放送を出力対象としている場合の出力音声の音声帯域の上限を高く保ちつつ、アナログオーディオ放送への切替を行うときに、出力音声帯域の上限をアナログオーディオ放送を出力する場合の出力音声の音声帯域の上限または当該上限近くに変化させて、アナログオーディオ放送への切替時の出力音声帯域の急峻な変化を抑制することができる。
【００１４】
また、前記音響特性を、前記オーディオ出力手段が出力するオーディオ信号のチャンネルセパレーション特性とし、前記第１の特性値を前記第２の特性値よりも、チャンネルセパレーションの度合いが高いものとすれば、デジタルオーディオ放送を出力対象としている場合の出力音声のチャンネルセパレーションを高い度合いに保ちつつ、アナログオーディオ放送への切替を行うときに、チャンネルセパレーション特性をアナログオーディオ放送を出力する場合の出力音声のチャンネルセパレーション特性近くに変化させて、アナログオーディオ放送への切替時のチャンネルセパレーション特性の急峻な変化を抑制することができる。
【００１５】
また、これらのオーディオ放送受信装置では、さらに、前記放送切替手段において、前記オーディオ出力手段が出力するオーディオ信号を、前記デジタルオーディオ放送で受信したオーディオ信号から、前記アナログオーディオ放送で受信したオーディオ信号に切り替えた後に、前記監視手段が監視しているデジタルオーディオ放送の受信状態が前記切替レベルと等しいか前記切替レベルより受信状態が良好な所定のレベルである復帰レベルに達した場合に、前記オーディオ出力手段が出力するオーディオ信号を、前記アナログオーディオ放送で受信したオーディオ信号から、前記デジタルオーディオ放送で受信したオーディオ信号に復帰させ、前記出力音声特性制御手段において、前記放送切替手段が、前記オーディオ出力手段が出力するオーディオ信号を、前記デジタルオーディオ放送で受信したオーディオ信号に復帰させた後に、前記オーディオ出力手段が出力するオーディオ信号の音響特性を、前記第２の特性値から、前記第１の特性値に漸次的に復帰させるようにすることも好ましい。
【００１６】
このようにすることにより、アナログオーディオ放送からデジタルオーディオ放送への復帰を行った際にも、出力音声の音響特性の急峻な変化が生じないようにすることができる。
ここで、前記課題達成のために、さらに本発明は、オーディオ放送受信装置に、デジタルオーディオ放送とアナログオーディオ放送を並行して受信するチューナと、前記デジタルオーディオ放送で受信したオーディオ信号を出力するオーディオ出力手段と、前記デジタルオーディオ放送の受信状態を監視する監視手段と、前記監視手段が監視しているデジタルオーディオ放送の受信状態が予め定めたレベルである切替レベルより劣化した場合に、一時的に、前記オーディオ出力手段が出力するオーディオ信号を、前記デジタルオーディオ放送で受信したオーディオ信号から、前記アナログオーディオ放送で受信したオーディオ信号に切り替え、当該切り替え後に、前記監視手段が監視しているデジタルオーディオ放送の受信状態が前記切替レベルと等しいか前記切替レベルより受信状態が良好な所定のレベルである復帰レベルに達した場合に、前記オーディオ出力手段が出力するオーディオ信号を、前記アナログオーディオ放送で受信したオーディオ信号から、前記デジタルオーディオ放送で受信したオーディオ信号に復帰させる放送切替手段と、前記放送切替手段が、前記オーディオ出力手段が出力するオーディオ信号を、前記デジタルオーディオ放送で受信したオーディオ信号に復帰させた後に、前記オーディオ出力手段が出力するオーディオ信号のチャンネルセパレーション特性を、前記アナログオーディオ放送用に定めたチャンネルセパレーション特性から、当該アナログオーディオ放送用に定めたセパレーション特性よりもチャンネルセパレーションの度合いが高い、前記デジタルオーディオ放送用に定めたチャンネルセパレーション特性に漸次的に変化させる出力音声特性制御手段とを備えたものである。
【００１７】
このようなオーディオ放送受信装置によれば、出力の対象とする放送をアナログオーディオ放送からデジタルオーディオ放送に切り替えた際には、出力音声のチャンネルセパレーション特性を、アナログオーディオ放送向けのチャンネルセパレーションの度合いの低いチャンネルセパレーション特性から、デジタルオーディオ放送向けのチャンネルセパレーションの度合いの高いチャンネルセパレーション特性に漸次的に変化させる。したがって、アナログオーディオ放送からデジタルオーディオ放送への復帰を行った際に、出力音声のチャンネルセパレーション特性の急峻な変化が生じないようにすることができる。
【００１８】
ここで、これらのオーディオ放送受信装置において、前記復帰レベルを、前記切替レベルよりも受信状態が良好なレベルとすれば、受信状態の増減変動によって、デジタルオーディオ放送とアナログオーディオ放送間の頻繁な切替及び復帰が生じないようにすることができる。
【００１９】
また、以上の各オーディオ放送受信装置において、前記監視手段は、たとえば、前記チューナの前記デジタルオーディオ放送の受信強度を、前記デジタルオーディオ放送の受信状態として監視するものとすることができる。
【発明の効果】
【００２０】
以上のように、本発明によれば、オーディオ信号を出力するオーディオ放送を、デジタルオーディオ放送とアナログオーディオ放送の間で自動的に切り替える際に、ユーザに聴覚上の不快感を与えることを抑制することができる。
【発明を実施するための最良の形態】
【００２１】
以下、本発明の実施形態について説明する。
まず、第１の実施形態について説明する。
図１に、本実施形態に係るオーディオ放送受信装置の構成を示す。
図示するように、オーディオ放送受信装置は、操作部１、表示装置２、制御部３、チューナ４、アナログ放送デコーダ５、帯域フィルタ６、デジタル放送デコーダ７、可変帯域フィルタ８、バッファ回路９、デジタルアナログ変換器１０、セレクタ１１、アンプ１２、スピーカ１３を備えている。
【００２２】
チューナ４は、制御部３から指定された受信周波数チャンネルの放送信号を受信し、受信した放送信号に含まれるアナログオーディオ信号をアナログ放送デコーダ５に送り、受信した放送信号に含まれるデジタルオーディオ放送信号をデジタル放送デコーダ７に送る。また、チューナ４は、受信周波数チャンネルから受信した放送信号の大きさから受信周波数チャンネルの受信電界強度を測定し、制御部３に通知する。なお、オーディオ放送受信装置が受信の対象とするオーディオ放送は、チューナ４にとっての一つの周波数チャンネル内で、デジタルオーディオ放送とアナログオーディオ放送の双方の放送を行うものである。
【００２３】
さて、アナログ放送デコーダ５は、受け取ったアナログオーディオ放送信号からアナログオーディオ信号を復調し、帯域フィルタ６に送る。帯域フィルタ６は、たとえば、図２ａに、その周波数応答特性を示すように高周波数側のカットオフ周波数ｆｃｈが１５ｋＨｚ、低周波数側のカットオフ周波数ｆｃｌが５０Ｈｚに設定されたバンドバスフィルタであり、受け取ったアナログオーディオ信号を、５０Ｈｚから１５ｋＨｚの間の音声帯域を持つアナログオーディオ信号に帯域制限し、第１のアナログオーディオ信号としてセレクタ１１に出力する。ただし、本実施形態では、アナログオーディオ放送で放送されるアナログオーディオ信号の音声帯域が５０Ｈｚから１５ｋＨｚであるものとしている。
【００２４】
一方、デジタル放送デコーダ７は、受け取ったデジタルオーディオ放送信号をデコードしデジタルオーディオ信号を生成し、可変帯域フィルタ８に送る。可変帯域フィルタ８は、たとえば、図２ｂに、その周波数応答特性を示すように、低周波数側のカットオフ周波数ｆｃｌが５０Ｈｚで、高周波数側のカットオフ周波数ｆｃｈを２０ｋＨｚと１５ｋＨｚとの間で可変なデジタルバンドバスフィルタであり、この高周波数側のカットオフ周波数は、制御部３によって設定される。さて、可変帯域フィルタ８は、受け取ったデジタルオーディオ音声信号を、５０Ｈｚから、その時点で設定されている高周波数側のカットオフ周波数ｆｃｈの間の音声帯域を持つデジタルオーディオ信号に帯域制限し、バッファ回路９が備えるバッファメモリに格納する。バッファ回路９はバッファメモリに格納されたデジタルオーディオ信号を、順次、所定レートでデジタルアナログ変換器１０に出力し、デジタルアナログ変換器１０は受け取ったデジタルオーディオ信号をアナログオーディオ信号に変換し、第２のアナログオーディオ信号として、セレクタ１１に出力する。ただし、本実施形態では、デジタルオーディオ放送で放送されるデジタルオーディオ信号の実質的に再現可能な音声帯域が５０Ｈｚから２０ｋＨｚであるものとしている。
【００２５】
セレクタ１１は、制御部３の設定に従い、帯域フィルタ６から入力する第１のアナログオーディオ信号とデジタルアナログ変換器１０から入力する第２のアナログオーディオ信号とのいずれか一方を選択し、アンプ１２に出力し、アンプ１２は入力するアナログオーディオ信号を制御部３から設定されたゲインで増幅し、スピーカ１３から出力する。
【００２６】
さて、制御部３は、操作部１からの操作に応じたチューナ４で受信させる受信周波数チャンネルの切替や、表示装置２への各種表示の処理を行う。
また、制御部３は、チューナ４から通知される受信電界強度に応じて、スピーカ１３からの出力の対象とする放送を、デジタルオーディオ放送とアナログオーディオ放送と間で切り替える、放送切替処理を行う。
まず、本放送切替処理で用いるＤＡ切替テーブルとＡＤ切替テーブルについて説明する。
ＤＡ切替テーブルとＡＤ切替テーブルは、予め制御部３に設定されているテーブルであり、ＤＡ切替テーブルは、受信電界強度ＳＭの減少に伴い、出力の対象とする放送をデジタルオーディオ放送からアナログオーディオ放送に切り替える前に設定する可変帯域フィルタ８の高周波数側カットオフ周波数ｆｃｈと受信電界強度ＳＭの関係を規定し、ＡＤ切替テーブルは、受信電界強度ＳＭの増大に伴い、出力の対象とする放送をアナログオーディオ放送からデジタルオーディオ放送に切り替える前と当該切替後に受信電界強度ＳＭが余裕をもってデジタルオーディオ放送を受信できるだけの強度に達するまでの間に設定する可変帯域フィルタ８の高周波数側カットオフ周波数ｆｃｈと受信電界強度ＳＭの関係を規定している。
【００２７】
すなわち、本実施形態では、Ｔｈｄ＞Ｔｈａ＞Ｔｈｃ＞Ｔｈｂとして、受信電界強度ＳＭの減少に伴う、出力の対象とする放送のデジタルオーディオ放送からアナログオーディオ放送への切り替えは、受信電界強度ＳＭがＴｈｂ以下となった時点で行い、受信電界強度ＳＭの増大に伴う、出力の対象とする放送のアナログオーディオ放送からデジタルオーディオ放送への切り替えは受信電界強度ＳＭががＴｈｃを超えた時点で行う。
【００２８】
そして、ＤＡ切替テーブルでは、図３ａに示すように、受信電界強度ＳＭがＴｈａ（図の例では５０ｄｂμＶ）を超えるときに可変帯域フィルタ８の高周波数側カットオフ周波数ｆｃｈはデジタルオーディオ放送の音声帯域の上限周波数（本実施形態では２０ｋＨｚ）となり、Ｔｈｂ（図の例では２５ｄｂμＶ）＜受信電界強度ＳＭ≦Ｔｈａのときには、受信電界強度ＳＭの減少に伴い、可変帯域フィルタ８の高周波数側カットオフ周波数ｆｃｈはデジタルオーディオ放送の音声帯域の上限周波数（２０ｋＨｚ）からアナログオーディオ放送の音声帯域の上限周波数（１５ｋＨｚ）に漸次的に低下するといった関係が、受信電界強度ＳＭの減少に伴い出力の対象とする放送をデジタルオーディオ放送からアナログオーディオ放送に切り替える（受信電界強度ＳＭがＴｈb以下となる時点）前の高周波数側カットオフ周波数ｆｃｈと受信電界強度ＳＭの関係として規定されている。
【００２９】
一方、ＡＤ切替テーブルでは、図３ｂに示すように、受信電界強度ＳＭがＴｈｃ（図の例では３８ｄｂμＶ）以下のときに可変帯域フィルタ８の高周波数側カットオフ周波数ｆｃｈはアナログオーディオ放送の音声帯域の上限周波数（本実施形態では１５ｋＨｚ）となり、Ｔｈｃ＜受信電界強度ＳＭ≦Ｔｈｄ（図の例では６３ｄｂμＶ）のときには、受信電界強度ＳＭの増大に伴い、可変帯域フィルタ８の高周波数側カットオフ周波数ｆｃｈはアナログオーディオ放送の音声帯域の上限周波数（１５ｋＨｚ）からデジタルオーディオ放送の音声帯域の上限周波数（２０ｋＨｚ）に漸次的に増加するといった関係が、受信電界強度ＳＭの増大に伴い、出力の対象とする放送をアナログオーディオ放送からデジタルオーディオ放送に切り替える（受信電界強度ＳＭがＴｈｃを越える時点）前と切替後に受信電界強度ＳＭが余裕をもってデジタルオーディオ放送を受信できるだけの強度（Ｔｈｄ）に達するまでの間に設定する高周波数側カットオフ周波数ｆｃｈと受信電界強度ＳＭの関係として規定されている。
【００３０】
さて、このようなＤＡ切替テーブルとＡＤ切替テーブルを用いて、制御部３が行う放送切替処理の手順を図４に示す。
図示するように、放送切替処理では、処理を開始すると、まず、チューナ４から、受信電界強度ＳＭを読み込み（ステップ４０２）、受信電界強度ＳＭがＴｈｃを超えているかどうかを調べ（ステップ４０４）、超えていれば、可変帯域フィルタ８の高周波数側カットオフ周波数ｆｃｈを、取り込んだ受信電界強度ＳＭに対してＤＡ切替テーブルで規定されている周波数に設定する（ステップ４０６）。また、セレクタ１１にデジタルアナログ変換器１０からの第２のアナログオーディオ信号を選択させることにより、デジタルオーディオ放送のスピーカ１３からの出力を開始させる（ステップ４０８）。そして、その後は、受信電界強度ＳＭが、Ｔｈｂ以下となるまで（ステップ４１４）、受信電界強度ＳＭをチューナ４から取り込んで（ステップ４１０）、可変帯域フィルタ８の高周波数側カットオフ周波数ｆｃｈを、取り込んだ受信電界強度ＳＭに対してＤＡ切替テーブルで規定されている周波数に設定する（ステップ４１２）処理を繰り返す。また、受信電界強度ＳＭが、Ｔｈｂ以下となったならば（ステップ４１４）、セレクタ１１に帯域フィルタ６からの第１のアナログオーディオ信号を選択させることにより、アナログオーディオ放送のスピーカ１３からの出力を開始させ（ステップ４１６）、ステップ４２２に進む。
【００３１】
一方、ステップ４０４において、受信電界強度ＳＭがＴｈｃ以下であると判定された場合には、可変帯域フィルタ８の高周波数側カットオフ周波数ｆｃｈを、取り込んだ受信電界強度ＳＭに対してＡＤ切替テーブルで規定されている周波数に設定し（ステップ４１８）、セレクタ１１に帯域フィルタ６からの第１のアナログオーディオ信号を選択させることにより、アナログオーディオ放送のスピーカ１３からの出力を開始させ（ステップ４２０）、ステップ４２２に進む。
【００３２】
さて、ステップ４２２以降の処理では、受信電界強度ＳＭが、Ｔｈｃを超えるまで（ステップ４２４）、受信電界強度ＳＭをチューナ４から取り込んで（ステップ４２２）、可変帯域フィルタ８の高周波数側カットオフ周波数ｆｃｈを、取り込んだ受信電界強度ＳＭに対してＡＤ切替テーブルで規定されている周波数に設定する（ステップ４２６）処理を繰り返す。
【００３３】
そして、取り込んだ受信電界強度ＳＭが、Ｔｈｃを超えたならば（ステップ４２４）、セレクタ１１にデジタルアナログ変換器１０からの第２のアナログオーディオ信号を選択させることにより、デジタルオーディオ放送をスピーカ１３からの出力を開始させた上で（ステップ４２８）、可変帯域フィルタ８の高周波数側カットオフ周波数ｆｃｈを、取り込んだ受信電界強度ＳＭに対してＡＤ切替テーブルで規定されている周波数に設定する（ステップ４３０）。
【００３４】
そして、その後は、取り込んだ受信電界強度ＳＭがＴｈｂ以下に劣化するか（ステップ４３２）、Ｔｈｄを超えるまで（ステップ４３４）、受信電界強度ＳＭをチューナ４から取り込んで（ステップ４３８）、可変帯域フィルタ８の高周波数側カットオフ周波数ｆｃｈを、取り込んだ受信電界強度ＳＭに対してＡＤ切替テーブルで規定されている周波数に設定する（ステップ４３０）処理を繰り返す。また、取り込んだ受信電界強度ＳＭがＴｈｂ以下に劣化したならば（ステップ４３２）、セレクタ１１に帯域フィルタ６からの第１のアナログオーディオ信号を選択させることにより、アナログオーディオ放送のスピーカ１３からの出力を開始させ（ステップ４３６）ステップ４２４からの処理に戻る。一方、取り込んだ受信電界強度ＳＭがＴｈｄを超えたならば（ステップ４３４）、ステップ４１０に進み、以降、前述したステップ４１０以降の処理を行う。
【００３５】
以上、制御部３が行う放送切替処理について説明した。
このような放送切替処理によれば、図３ａに示すように、受信電界強度ＳＭのレベルが近い将来にアナログオーディオ放送への切替を行うレベル（Ｔｈｂ以下のレベル）に変化することが想定されない程度に大きいレベル（Ｔｈａを超えるレベル）から、正常にデジタルオーディオ放送を受信できない可能性があるためにアナログオーディオ放送への切替を行うレベル（Ｔｈｂ以下のレベル）に変化していく場合に、受信電界強度ＳＭがＴｈａ以下となった時点で、近い将来の出力の対象とする放送のアナログオーディオ放送への切り替えの発生を予測し、可変帯域フィルタ８の高周波数側カットオフ周波数ｆｃｈを、デジタルオーディオ放送の音声帯域の上限２０ｋＨｚから、受信電界強度ＳＭがＴｈｂとなった時点で可変帯域フィルタ８の高周波数側カットオフ周波数ｆｃｈがアナログオーディオ放送の音声帯域の上限１５ｋＨｚとなるように、受信電界強度ＳＭの減少に伴い漸次的に変化させる。
【００３６】
したがって、実際に受信電界強度ＳＭがＴｈｂ以下となってアナログオーディオ放送への切替を行うときには、出力音声帯域はアナログオーディオ放送の音声帯域の上限１５ｋＨｚに変化しているので、アナログオーディオ放送への切替を行っても出力音声帯域の急峻な変化は生じない。
【００３７】
同様に、図３ｂ示すように、受信電界強度ＳＭが正常にデジタルオーディオ放送を受信できないレベル（Ｔｈｂ以下のレベル）にあるためにアナログオーディオ放送を出力している状態から、受信電界強度ＳＭが増加していく場合には、受信電界強度ＳＭがＴｈｃ＞Ｔｈｂを超えた時点で、出力の対象とする放送をアナログオーディオ放送からデジタルオーディオ放送への切り替えを行い、その後、可変帯域フィルタ８の高周波数側カットオフ周波数ｆｃｈをアナログオーディオ放送の音声帯域の上限１５ｋＨｚから、デジタルオーディオ放送の音声帯域の上限２０ｋＨｚまで、受信電界強度ＳＭの増加に伴い漸次的に変化させる。
【００３８】
したがって、受信電界強度ＳＭがＴｈｃを越え、デジタルオーディオ放送への切替を行った後に、出力音声帯域はアナログオーディオ放送の音声帯域の上限１５ｋＨｚから上限２０ｋＨｚに漸次的に変化するので、デジタルオーディオ放送への切替時に出力音声帯域の急峻な変化は生じない。
【００３９】
なお、デジタルオーディオ放送からアナログオーディオ放送への切替を行う受信電界強度のレベルＴｈｂよりも、アナログオーディオ放送からデジタルオーディオ放送への切替を行う受信電界強度のレベルＴｈｃを大きいレベルとしているのは、両者のレベルを同じレベルとすることにより、当該レベル近傍で受信電界強度ＳＭが増減変動を続けた場合に、デジタルオーディオ放送とアナログオーディオ放送との間の切替が頻繁に生じることを排除するためである。
【００４０】
したがって、このような当該レベル近傍での受信電界強度ＳＭの増減変動に対して他の手段によって対処する場合などには、図３ｃに示す切替テーブルに従って、受信電界強度ＳＭに対して一義的に可変帯域フィルタ８の高周波数側カットオフ周波数ｆｃｈを定めると共に、常にＴｈｂを境界として、デジタルオーディオ放送とアナログオーディオ放送との間の切替を行うようにしても良い。
【００４１】
以上、本発明の第１実施形態について説明した。
なお、以上の第１実施形態では、デジタルオーディオ放送中に、受信電界強度ＳＭから、近い将来の出力の対象とする放送のアナログオーディオ放送への切り替えを予測したが、この予測は、たとえば、デジタルオーディオ放送で受信したデジタルオーディオ信号の伝送誤り発生率などの他の測定値に応じて行うようにしてもよい。また、デジタルオーディオデジタル放送とアナログオーディオ放送の切替も、このようなジタルオーディオ放送で受信したデジタルオーディオ信号の伝送誤り発生率などの他の測定値に応じて行うようにして良い。
【００４２】
また、以上では、受信電界強度に対して可変帯域フィルタ８の高周波数側カットオフ周波数ｆｃｈを定めることにより、デジタルオーディオ放送とアナログオーディオ放送との切替時における、出力音声帯域の漸次的な変化を実現したが、時間的に可変帯域フィルタ８の高周波数側カットオフ周波数ｆｃｈを変化させることにより、このような出力音声帯域の漸次的な変化を実現させるようにしてもよい。すなわち、たとえば、受信電界強度ＳＭが一様に増加または減少する環境下においては、アナログオーディオ放送からデジタルオーディオ放送へ出力を切り替えた場合に、切替後一定時間（たとえば、２秒）をかけて、漸次的に可変帯域フィルタ８の高周波数側カットオフ周波数ｆｃｈを増加させたり、近い将来のデジタルオーディオ放送からアナログオーディオ放送への切り替えが予測された場合に、予測後一定時間（たとえば、２秒）をかけて、アナログオーディオ放送への切替が生じるまで漸次的に可変帯域フィルタ８の高周波数側カットオフ周波数ｆｃｈを減少させるようにしても良い。
【００４３】
以下、本発明の第2の実施形態について説明する。
図５に、本実施形態に係るオーディオ放送受信装置の構成を示す。
図示するように、オーディオ放送受信装置は、操作部１、表示装置２、制御部３、チューナ４、アナログ放送デコーダ５、周波数フィルタ５０１、デジタル放送デコーダ７、可変周波数フィルタ５０２、バッファ回路９、デジタルアナログ変換器１０、セレクタ１１、チャンネルミキサ５０３、アンプ１２、スピーカ１３、アナログオーディオピーク検出器５０４、デジタルオーディオピーク検出器５０５を備えている。すなわち、本第２実施形態に係るオーディオ放送受信装置は、図１に示した第１実施形態に係るオーディオ放送受信装置の帯域フィルタ６と可変帯域フィルタ８に代えて、周波数フィルタ５０１と可変周波数フィルタ５０２とを設けると共に、図１に示した第１実施形態に係るオーディオ放送受信装置に、チャンネルミキサ５０３、アナログオーディオピーク検出器５０４、デジタルオーディオピーク検出器５０５を設けた構成を有している。
【００４４】
また、アナログ放送デコーダ５は、アナログチャンネルミキサ５０６を備え、アナログチャンネルミキサ５０６は、チューナ４が検出した受信電界強度ＳＭに応じて、復調した右チャンネルのオーディオ信号と復調した左チャンネルオーディオ信号を混合することにより、出力する右チャンネルのオーディオ信号と左チャンネルオーディオ信号とのセパレーション特性を、図１０ｂの１１０１に示すように制御する。すなわち、アナログチャンネルミキサ５０６は、図示するように、受信電界強度ＳＭが弱いときに右チャンネルと左チャンネルのチャンネルセパレーション特性を劣化させることによりアナログオーディオ放送で受信したオーディオ信号のノイズを軽減する処理を行う。
【００４５】
次に、アナログオーディオピーク検出器５０４、デジタルオーディオピーク検出器５０５は、それぞれ、セレクタ１１に入力するアナログオーディオ放送で受信したオーディオ信号の強度のピークと、セレクタ１１に入力するデジタルオーディオ放送で受信したオーディオ信号の強度のピークを検出し、制御部３に通知する処理を行う。そして、制御部３は、アナログオーディオピーク検出器５０４、デジタルオーディオピーク検出器５０５から入力する各ピーク値に応じて、出力の対象とする放送のデジタルオーディオ放送とアナログオーディオ放送と間の切替時に、スピーカ１３に出力するオーディオ信号のピークが、切替前と切替後で、同じとなるように、または、大きく変化しないようにアンプ１２のゲインを変化させる。
【００４６】
さて、制御部３は、チューナ４から通知される受信電界強度ＳＭやデジタルオーディオ放送で受信したデジタルオーディオ信号の伝送誤り発生率から求まるデジタルオーディオ放送受信状態に応じて、スピーカ１３からの出力の対象とする放送を、デジタルオーディオ放送とアナログオーディオ放送と間で切り替える処理と、出力の対象とする放送の、デジタルオーディオ放送からアナログオーディオ放送への切替えを予測する処理を行う。この切替と予測は、たとえば前記第１実施形態の切替や予測の動作と同様に行う。なお、制御部３は、アナログオーディオ放送のみを放送している周波数チャンネルについては、この切替や予測は行わず、無条件にアナログオーディオ放送を出力対象の放送とする。また、同様に、デジタルオーディオ放送のみを放送している周波数チャンネルについては、この切替や予測は行わず、無条件にデジタルオーディオ放送を出力対象の放送とする。
【００４７】
次に、周波数フィルタ５０１は、アナログ放送デコーダ５から受け取ったオーディオ信号の周波数特性を調整する周波数応答が予め定められたフィルタであり、可変周波数フィルタ５０２はデジタル放送デコーダ７から受け取ったオーディオ信号の周波数特性を調整する周波数応答特性が可変のフィルタである。ここで、このような可変周波数フィルタ５０２は、たとえば、図６aに示すような、複数の遅延素子６０１と複数のゲイン可変な増幅器６０２と加算器６０３を組み合わせたFIRフィルタとして構成することができ、この場合には、制御部３はFIRフィルタの各タップ係数（各増幅器６０２のゲイン）を変更することにより、可変周波数フィルタ５０２の周波数応答特性を制御する。
【００４８】
さて、制御部３は、このような可変周波数フィルタ５０２を制御し、セレクタ１１に出力するオーディオ信号の周波数特性を制御し、スピーカ１４から出力するオーディオ信号の周波数特性が、出力の対象とする放送のデジタルオーディオ放送とアナログオーディオ放送と間の切替時に漸次的に変化するようにする。すなわち、出力の対象とする放送をアナログオーディオ放送からデジタルオーディオ放送に切り替えたときには、セレクタ１１に出力するオーディオ信号の周波数特性が、周波数フィルタ５０１が出力するオーディオ信号の周波数特性から、デジタルーディオ放送から受信したオーディオ信号について予め定めた周波数特性に漸次的に変化するように、可変周波数フィルタ５０２を制御する。また、出力の対象とする放送をデジタルオーディオ放送からアナログオーディオ放送に切り替えるときには、この切替を前記第１実施形態と同様に予測し、切替までに、セレクタ１１に出力するオーディオ信号の周波数特性が、デジタルーディオ放送から受信したオーディオ信号について予め定めた周波数特性から、周波数フィルタ５０１が出力するオーディオ信号の周波数特性に漸次的に変化するように、可変周波数フィルタ５０２を制御する。
【００４９】
ここで、この可変周波数フィルタ５０２を用いた制御には、前記第１実施形態で示したデジタルオーディオ放送デコーダ７が出力するオーディオ信号の帯域の制御と同様の、可変周波数フィルタ５０２を可変帯域フィルタ８として用いた制御も含まれる。
次に、チャンネルミキサ５０３の構成を図６ｂに示す。
図示するように、チャンネルミキサ５０３は、ゲイン可変な４つの増幅器６５１、６５２、６５３、６５４と二つの加算器６６１、６６２とを有する。なお、図中の１２１と１２２は、アンプ１２に含まれる左チャンネル用アンプ１２１と右チャンネル用アンプ１２２であり、それぞれ左チャンネル用スピーカ１３と右チャンネル用スピーカ１３に接続されている。
【００５０】
そして、増幅器６５１と増幅器６５２と加算器６６１は、セレクタ１１から入力する左チャンネルのオーディオ信号と右チャンネルのオーディオ信号を、制御部３の増幅器６５１と増幅器６５２のゲイン設定により定まる混合比率で混合し、左チャンネル用のアンプ１２に出力する。また、増幅器６５３と増幅器６５４と加算器６６２は、セレクタ１１から入力する左チャンネルのオーディオ信号と右チャンネルのオーディオ信号を、制御部３の増幅器６５３と増幅器６５４のゲイン設定により定まる混合比率で混合し、右チャンネル用のアンプ１２に出力する。
【００５１】
したがって、制御部３は、４つの増幅器６５１、６５２、６５３、６５４のゲインを制御することにより、チャンネルミキサ５０３から出力するオーディオ信号の左右チャンネルのセパレーション特性を調整することができる。
以下、このようなオーディオ放送受信装置において、出力の対象とする放送のデジタルオーディオ放送とアナログオーディオ放送に切替時に、出力されるオーディオ信号のセパレーション特性が急激に変化しないようにするために、制御部３が行うセパレーション特性制御処理について説明する。
【００５２】
図７に、このセパレーション特性制御処理の手順を示す。
図示するように、この処理では、出力対象の放送がデジタルオーディオ放送であるかどうかを調べ（ステップ７０２）、デジタルオーディオ放送であれば、チャンネルミキサ５０３の主チャンネルの混合比率を１００％に設定する（ステップ７０４）。ここで、主チャンネルの混合比率は、右チャンネルについては、チャンネルミキサ５０３から出力する右チャンネルのオーディオ信号に含まれる、セレクタ１１から入力する右チャンネルのオーディオ信号の比率であり、左チャンネルについては、チャンネルミキサ５０３から出力する左チャンネルのオーディオ信号に含まれる、セレクタ１１から入力する左チャンネルのオーディオ信号の比率である。また、制御部３は、右チャンネルと左チャンネルの主チャンネルの混合比率は、常に主チャンネル比率によって同様に制御する。
【００５３】
そして、アナログオーディオ放送への切替の予測の発生を監視し（ステップ７０６）、アナログオーディオ放送への切替の予測が発生したならば、目標比率を設定する（ステップ７０８）。ここでは、目標比率としては、アナログオーディオ放送への切替時にアナログ放送デコーダ５から出力されると期待されるオーディオ信号のセパレーション特性と同じセパレーション特性をデジタルオーディオ放送デコーダ７から出力されるオーディオ信号に与える主チャンネル比率を設定する。ここで、この目標比率は、特定の受信電界強度ＳＭで、出力対象の放送をデジタルオーディオ放送からアナログオーディオ放送に切り替える場合には、その特定の受信電界強度ＳＭでアナログチャンネルミキサ５０６がアナログオーディオ放送から復調したオーディオ信号に与えるセパレーション特性と同じセパレーション特性をデジタルオーディオ放送デコーダ７から出力されるオーディオ信号に与えることなる主チャンネル比率となる。すなわち、たとえばその受信電界強度ＳＭでアナログチャンネルミキサ５０６がアナログオーディオ放送から復調したオーディオ信号に与えるセパレーション特性が、オーディオ信号をモノラル信号として出力するような特性、すなわち、左チャンネルと右チャンネルを１対１で混合して、左チャンネル及び右チャンネルのオーディオ信号として出力する場合には、目標比率は５０％となる。
【００５４】
ただし、特定の受信電界強度ＳＭで、出力対象の放送をデジタルオーディオ放送からアナログオーディオ放送に切り替えるものでない場合、たとえば、デジタルオーディオ放送の伝送誤りのレート等に応じて出力対象の放送をデジタルオーディオ放送からアナログオーディオ放送に切り替える場合には、この目標比率は、現在の受信電界強度ＳＭでアナログチャンネルミキサ５０６がアナログオーディオ放送から復調したオーディオ信号に与えるセパレーション特性と同じセパレーション特性をデジタルオーディオ放送デコーダ７から出力されるオーディオ信号に与えることになる主チャンネル比率とするようにしてもよい。
【００５５】
一方で、一般的に、受信電界強度ＳＭに応じるか伝送誤り率に応じるかを問わず、出力対象の放送をデジタルオーディオ放送からアナログオーディオ放送に切り替えるときには、受信電界強度が充分に低いことが期待できる。そこで、ここでの目標比率は一律に５０％に設定するようにしてもよい。
【００５６】
さて、このように目標比率を設定したならば、現在の主チャンネル比率が目標比率に一致しているかどうかを調べ（ステップ７１０）、一致していればステップ７１４に進む。一方、一致していない場合には、主チャンネル比率を、主チャンネル比率が目標比率より小さい場合には１段階増加し、主チャンネル比率が目標比率より小さい場合には１段階減少する（ステップ７１２）。ただし、ここでは前回、主チャンネル比率を変更してから所定期間の経過するのを待ってから主チャンネル比率の変更を行う。また、前記主チャンネル比率を変更する段階の大きさは、この所定期間との関係において、当該所定期間毎に１段階主チャンネル比率を減少した場合に、アナログオーディオ放送への切替を予測してから実際にアナログオーディオ放送への切替が行われるまでの時間として期待できる時間（たとえば、数秒）で主チャンネル比率が目標比率まで減少するように定める。そして、このようにして主チャンネル比率を１段階変更したならば、ステップ７１４に進む。
【００５７】
ステップ７１４では、アナログオーディオ放送への切替が行われたかどうかを調べ、切替が行われていればステップ７１８に進み、切替が行われていなければ、ステップ７１６に進んでアナログオーディオ放送への切替が予測されなくなったかどうかを調べる。そして、予測されなくなっていればステップ７２４に進み、まだ予測され続けている場合には、ステップ７０８に戻り以上の処理を繰り返す。この結果、アナログオーディオ放送への切替の予測が発生後、主チャンネル比率は、１００％から、アナログオーディオ放送への切替が発生するか予測が行われなくなるまで、一定の時定数をもって目標比率（目標比率を５０％に固定した場合は５０％）に向かって目標比率に到達するよう変化していくことになる。
【００５８】
さて、ステップ７０２において、現在デジタルオーディオ放送を出力対象の放送としていない、すなわち、アナログオーディオ放送を出力対象の放送としていると判定された場合には、ステップ７１８に進む。ステップ７１８では、主チャンネル比率を１００％に設定し、出力対象の放送がデジタルオーディオ放送に切り替わるのを待って（ステップ７２０）、ステップ７２２に進む。
【００５９】
そして、ステップ７２２では、主チャンネル比率として、デジタルオーディオ放送への切替直前に、アナログ放送デコーダ５から出力されていたオーディオ信号のセパレーション特性、すなわち、デジタルオーディオ放送への切替時にアナログチャンネルミキサ５０６がアナログオーディオ放送から復調したオーディオ信号に与えていたものと同じセパレーション特性をデジタルオーディオ放送デコーダ７から出力されるオーディオ信号に与える主チャンネル比率を設定し、ステップ７２４に進む。この場合において、ある受信電界強度ＳＭに達したときに出力対象とする放送をアナログオーディオ放送からデジタルオーディオ放送に切り替えるようにしている場合において、その受信電界強度ＳＭでアナログチャンネルミキサ５０６がアナログオーディオ放送から復調したオーディオ信号に与えるセパレーション特性が、オーディオ信号をモノラル信号として出力するような特性、すなわち、左チャンネルと右チャンネルを１対１で混合して、左チャンネル及び右チャンネルのオーディオ信号として出力する場合には、このステップ７２２で設定する主チャンネル比率は５０％となる。
【００６０】
次に、ステップ７２４では、主チャンネル比率が１００％となっているかどうかを調べ、１００％となっていればステップ７２８に進む。一方、１００％となっていない場合には、主チャンネル比率を１段階増加する（ステップ７２６）。ただし、ここでも前回、主チャンネル比率を変更してから所定期間の経過するのを待ってから主チャンネル比率の増加を行う。そして、ステップ７２８に進む。
【００６１】
ステップ７２８では、アナログオーディオ放送への切替の予測が発生したかどうかを調べ、発生していればステップ７０８に進んで前述の処理を行い、発生していなければ、ステップ７２４に戻る。この結果、デジタルオーディオ放送への切替後、主チャンネル比率は、切替時にアナログチャンネルミキサ５０６が与えていたセパレーション特性を与える主チャンネル比率（切替時にアナログチャンネルミキサ５０６がオーディオ信号をモノラル信号として出力していた場合には５０％）から、アナログオーディオ放送への切替の予測が発生しない限り、一定の時定数をもって１００％まで増加していくことになる。
【００６２】
以上、セパレーション特性制御処理の手順について説明した。
ここで、このようなセパレーション特性制御処理によれば、チャンネルミキサ５０３の主チャンネル比率と、スピーカ１３への出力オーディオ信号のセパレーション特性は、たとえば、図８に示すように制御されることになる。
ただし、図には、受信電界強度ＳＭに応じて出力対象とする放送のデジタルオーディオ放送とアナログオーディオ放送との間の切替が行われるものであって、デジタルオーディオ放送からアナログオーディオ放送への切替時に、その時点の受信電界強度ＳＭに応じてアナログチャンネルミキサ５０６がアナログオーディオ放送から復調したオーディオ信号に与えるセパレーション特性も、アナログオーディオ放送からデジタルオーディオ放送への切替時に、その時点の受信電界強度ＳＭに応じてアナログチャンネルミキサ５０６がアナログオーディオ放送から復調したオーディオ信号に与えるセパレーション特性も、オーディオ信号をモノラル信号として出力するような特性、すなわち、アナログチャンネルミキサ５０６が左チャンネルと右チャンネルを１対１で混合して、左チャンネル及び右チャンネルのオーディオ信号として出力することにより得られる特性となるように、図１０ｂに示したアナログチャンネルミキサ５０６の特性１１０１が設定されている場合を例にとり示している。
【００６３】
さて、図８aに示すように、アナログオーディオ放送が出力対象となっている場合、チャンネルミキサ５０３の主チャンネル比率は１００％に設定され、このときの出力オーディオ信号のセパレーション特性は図８bに示すようにアナログチャンネルミキサ５０６が出力するセパレーション特性（この例ではモノラル特性）のままとなる。
【００６４】
そして、この状態から出力対象がデジタルオーディオ放送へ切り替わると、図８aに示すように、一定の増加率で、したがって一定の時定数で主チャンネル比率を持って１００％まで、増加中にアナログオーディオ放送への切替予測が発生しない限り増加していく、そして、その後はアナログオーディオ放送への切替予測が発生するまで、１００％で固定される。そして、このときの出力オーディオ信号のセパレーション特性は図８bに示すように、主チャンネル比率のみに依存するセパレーション特性となる。
【００６５】
次に、この後、アナログオーディオ放送への切替予測が発生すると、アナログオーディオ放送への切替予測が解除されない限り、図８aに示すように、一定の減少率で、したがって一定の時定数で主チャンネル比率を持って５０％まで、減少していく。また、このときの出力オーディオ信号のセパレーション特性は図８bに示すように、主チャンネル比率のみに依存するセパレーション特性となる。
【００６６】
そして、アナログオーディオ放送への切替が発生すると、チャンネルミキサ５０３の主チャンネル比率は１００％に設定される。そして、このときの出力オーディオ信号のセパレーション特性は図８bに示すようにアナログチャンネルミキサ５０６が出力するセパレーション特性（この例ではモノラル特性）のままとなる。
【００６７】
また、以上の動作において、デジタルオーディオ放送への切り替わり後、主チャンネル比率を一定の増加率で１００％まで増加中に、アナログオーディオ放送への切替の予測が発生した場合には、図８cに示すように、主チャンネル比率はその時点のチャンネル比率から５０％に一定の減少率で減少し、このときの出力オーディオ信号のセパレーション特性は図８dに示すように、主チャンネル比率のみに依存するセパレーション特性となる。そして、アナログオーディオ放送への切替が発生すると、図８cに示すようにチャンネルミキサ５０３の主チャンネル比率は１００％に設定される。そして、このときの出力オーディオ信号のセパレーション特性は図８dに示すようにアナログチャンネルミキサ５０６が出力するセパレーション特性（この例ではモノラル特性）のままとなる。
【００６８】
また、以上の動作において、アナログオーディオ放送への切替予測が発生し、主チャンネル比率を５０％に一定の減少率で減少中にアナログオーディオ放送への切替予測が解除された場合には、主チャンネル比率はその時点のチャンネル比率から１００％に一定の増加率で増加し、このときの出力オーディオ信号のセパレーション特性は図８dに示すように、主チャンネル比率のみに依存するセパレーション特性となる。
【００６９】
以上、図８ｂ、ｄから理解されるように、以上のセパレーション特性制御処理によれば、出力対象放送のアナログオーディオ放送とデジタルオーディオ放送の切替に際して、出力オーディオ信号のセパレーション特性は漸次的に変化し、出力オーディオ信号のセパレーション特性の急激な変化は抑制される。したがって、力対象放送のアナログオーディオ放送とデジタルオーディオ放送の切替時における出力音声のセパレーション特性の急激な変化によってユーザの不快感を与えてしまうことを抑制できる。
【００７０】
以上、本発明の第２の実施形態について説明した。
ところで、以上の実施形態では、アナログオーディオ放送からデジタルオーディオ放送へ出力を切り替えた場合に、切替後一定時間をかけて、漸次的に出力するオーディオ信号のセパレーション特性を増加させたり、近い将来のデジタルオーディオ放送からアナログオーディオ放送への切り替えが予測された場合に、漸次的に出力するオーディオ信号のセパレーション特性を減少させたりしたが、このような出力するオーディオ信号の漸次的な制御は、前記第１実施形態と同様に、出力するオーディオ信号のセパレーション特性を、受信電界強度ＳＭの関数とすることにより実現するようにしてもよい。
【００７１】
すなわち、いま、アナログチャネルミキサがアナログオーディオ放送からのオーディオ信号に受信電界強度ＳＭに応じて与えるセパレーション特性が図９aに示すものであるものとして、たとえば、図９ｂに示すように、受信電界強度ＳＭのレベルが近い将来にアナログオーディオ放送への切替を行うレベル（Ｔｈｂ以下のレベル）に変化することが想定されない程度に大きいレベル（Ｔｈａを超えるレベル）にあるときには、受信電界強度ＳＭがＴｈｂ以下となって、アナログオーディオ放送への切替を行うまで、主チャンネル比率を図９ｂに示す受信電界強度ＳＭとの関係に従って制御する。
【００７２】
すなわち、受信電界強度ＳＭがＴｈａ以下で、近い将来の出力の対象とする放送のアナログオーディオ放送への切り替えの発生を予測するものとして、受信電界強度ＳＭがＴｈａを超える場合には、主チャンネル比率を１００％とする。一方、受信電界強度ＳＭがＴｈａ以下の場合は、受信電界強度ＳＭがＴｈｂの位置で、アナログチャンネルミキサ５０６が与えるセパレーション特性（図ではモノラル特性）と、チャンネルミキサ５０３がデジタルオーディオ放送からのオーディオ信号に与えるセパレーション特性が一致するように、受信電界強度ＳＭの減少に伴い主チャンネル比率を減少する。
【００７３】
これにより、図９ｄ９１０に示すように、実際に受信電界強度ＳＭがＴｈｂ以下となってアナログオーディオ放送への切替を行うときには、セパレーション特性はアナログオーディオ放送に対してアナログチャンネルミキサ５０６が与えるセパレーション特性まで漸次的に変化しているので、アナログオーディオ放送への切替を行ってもセパレーション特性の急峻な変化は生じない。
【００７４】
そして、受信電界強度ＳＭがＴｈｂ以下となったならば、図９ｃ９０１に示すようにアナログオーディオ放送への切替を行い、主チャンネル比率を１００％として、以降、受信電界強度ＳＭがＴｈｃ＞Ｔｈｂに達するまで、主チャンネル比率を図９ｃ９０１に示す受信電界強度ＳＭとの関係に従って制御する。そして、受信電界強度ＳＭがＴｈｃに達したならば、デジタルオーディオ放送への切替を行い、主チャンネル比率を受信電界強度ＳＭがＴｈｃであるときにアナログチャンネルミキサ５０６が与えるセパレーション特性と一致するセパレーション特性をデジタルオーディオ放送からのオーディオ信号に与える主チャンネル比率とする。そして、その後は、主チャンネル比率を受信電界強度ＳＭがＴｈｃとＴｈｄ＞Ｔｈｃの間にあるときには図９ｃ９０２に示す受信電界強度ＳＭとの関係に従って、受信電界強度ＳＭの増加に伴い主チャンネル比率が増加するように制御し、受信電界強度ＳＭがＴｈｃとＴｈｂの間にあるときには図９ｃ９０３に示す受信電界強度ＳＭとの関係に従って、各時点においてアナログチャンネルミキサ５０６が与えるセパレーション特性と一致するセパレーション特性をデジタルオーディオ放送からのオーディオ信号に与えるように主チャンネル比率を制御する。
【００７５】
そして、受信電界強度ＳＭがＴｈｄに達したならば、図９ｂの関係に従った主チャンネルの制御に戻る。一方、受信電界強度ＳＭがＴｈcに達したならば、出力対象とする放送をアナログオーディオ放送に切替、図９ｃ９０１の関係に従った主チャンネルの制御に戻る。
この結果、受信電界強度ＳＭがＴｈｃを越え、デジタルオーディオ放送への切替を行った後に、出力するオーディオ信号のセパレーション特性は、図９ｄ９１１に示すように漸次的に増加するので、デジタルオーディオ放送への切替時に出力音声帯域の急峻な変化は生じない。
【００７６】
なお、デジタルオーディオ放送からアナログオーディオ放送への切替を行う受信電界強度のレベルＴｈｂよりも、アナログオーディオ放送からデジタルオーディオ放送への切替を行う受信電界強度のレベルＴｈｃを大きいレベルとしているのは、両者のレベルを同じレベルとすることにより、当該レベル近傍で受信電界強度ＳＭが増減変動を続けた場合に、デジタルオーディオ放送とアナログオーディオ放送との間の切替が頻繁に生じることを排除するためである。
【００７７】
したがって、このような当該レベル近傍での受信電界強度ＳＭの増減変動に対して他の手段によって対処する場合などには、たとえば、図９eに示すように受信電界強度ＳＭに対して一義的にセパレーション特性を定めるように主チャンネル比率を制御すると共に、常にＴｈｂを境界として、デジタルオーディオ放送とアナログオーディオ放送との間の切替を行うようにしても良い。
【００７８】
また、以上の実施形態では、アナログチャンネルミキサ５０６とチャンネルミキサ５０３との二つのミキサを用いて出力するオーディオ信号のセパレーション特性を制御したが、これはチャンネルミキサ５０３のみを用いて行うようにしてもよい。すなわち、この場合には、アナログオーディオ放送を出力対象の放送としているときには、チャンネルミキサ５０３において主チャンネル比率を１００％とする代わりに、以上でアナログチャンネルミキサ５０６が行ったセパレーション特性の制御を行うようにすればよい。
【図面の簡単な説明】
【００７９】
【図１】本発明の第１実施形態に係るオーディオ放送受信装置の構成を示すブロック図である。
【図２】本発明の第１実施形態で用いる帯域フィルタと可変帯域フィルタの周波数応答特性を示す図である。
【図３】本発明の第１実施形態で用いる可可変帯域フィルタの高周波数側カットオフ周波数と受信電界強度との関係を示す図である。
【図４】本発明の第１実施形態に係る放送切替処理の手順を示すフローチャートである。
【図５】本発明の第２実施形態に係るオーディオ放送受信装置の構成を示すブロック図である。
【図６】本発明の第２実施形態で用いる可変周波数フィルタとチャンネルミキサの構成を示すブロック図である。
【図７】本発明の第１実施形態に係るセパレーション特性制御処理の手順を示すフローチャートである。
【図８】本発明の第１実施形態に係るセパレーション特性の制御例を示す図である。
【図９】本発明の第１実施形態に係る他のセパレーション特性の制御例を示す図である。
【図１０】従来のオーディオ放送受信装置における出力音声帯域と受信電界強度との関係を示す図である。
【符号の説明】
【００８０】
１...操作部、２...表示装置、３...制御部、４...チューナ、５...アナログ放送デコーダ、６...帯域フィルタ、７...デジタル放送デコーダ、８...可変帯域フィルタ、９...バッファ回路、１０...デジタルアナログ変換器、１１...セレクタ、１２...アンプ、１３...スピーカ、５０１…周波数フィルタ、５０２…可変周波数フィルタ、５０３…チャンネルミキサ、５０４…アナログオーディオピーク検出器、５０５…デジタルオーディオピーク検出器、５０６…アナログチャンネルミキサ。
【図１】
2004289781.tif 000003
【図２】
2004289781.tif 000004
【図３】
2004289781.tif 000005
【図４】
2004289781.tif 000006
【図５】
2004289781.tif 000007
【図６】
2004289781.tif 000008
【図７】
2004289781.tif 000009
【図８】
2004289781.tif 000010
【図９】
2004289781.tif 000011
【図１０】
2004289781.tif 000012